(57)【要約】【課題】従来の給湯風呂装置では、給湯通水スイッチ部の通水抵抗が大きいため、水圧の低い場所では給湯量が少なくなり使用勝手が悪くなるという課題を有していた。【解決手段】給湯用熱交換器７と、給湯流量を検知する給湯用流量センサー２と、給湯出湯側から分岐し前記給湯用熱交換器７で加熱された湯を追焚回路に供給する注湯回路に配した注湯電磁弁２１と、前記注湯電磁弁２１の下流の注湯回路に設けた逆止弁２２と、前記注湯電磁弁２１と前記逆止弁２２との間の注湯回路に設け、前記追焚回路に供給する流量を検知する注湯用流量センサー２３を備えたものである。【選択図】  図１
2004347225.tif 000002
【特許請求の範囲】
【請求項１】
給湯用熱交換器と、給湯流量を検知する給湯用流量センサーと、給湯出湯側から分岐し前記給湯用熱交換器で加熱された湯を追焚回路に供給する注湯回路に配した注湯電磁弁と、前記注湯電磁弁の下流の注湯回路に設けた逆止弁と、前記注湯電磁弁と前記逆止弁との間の注湯回路に設け、前記追焚回路に供給する流量を検知する注湯用流量センサーを備えた給湯風呂装置。
【請求項２】
注湯電磁弁が開状態のとき、給湯用流量センサーと注湯用流量センサーの流量を比較し、前記給湯用流量センサーの検知流量が前記注湯用流量センサーの検知流量より大きい場合、前記注湯電磁弁を閉じる制御手段を備えた請求項１記載の給湯風呂装置。
【請求項３】
注湯電磁弁が開状態のとき、給湯用流量センサーと注湯用流量センサーの流量を比較し、前記給湯用流量センサーの検知流量が前記注湯用流量センサーの検知流量より大きい場合、前記注湯電磁弁を閉じるとともに、前記給湯用流量センサーが通水の停止を検知した場合、前記注湯電磁弁を開ける制御手段を備えた請求項１記載の給湯風呂装置。
【請求項４】
注湯電磁弁が開状態のとき、給湯用流量センサーと注湯用流量センサーの流量を比較し、前記注湯用流量センサーの検知流量が前記給湯用流量センサーの検知流量より大きい場合、前記注湯電磁弁を閉じる制御手段を備えた請求項１記載の給湯風呂装置。
【請求項５】
注湯電磁弁が開状態のとき、給湯用流量センサーと注湯用流量センサーの流量を比較し、前記注湯用流量センサーの検知流量が前記給湯用流量センサーの検知流量より大きい場合、前記注湯電磁弁を閉じ、故障表示する制御手段を備えた請求項１記載の給湯風呂装置。
【発明の詳細な説明】
【０００１】
【発明の属する技術分野】
本発明は、給湯用熱交換器で加熱された湯を追焚回路に給湯する注湯電磁弁を備えた給湯風呂装置に関するものである。
【０００２】
【従来の技術】
従来この種の給湯風呂装置は、給湯配管への通水を検知する給湯通水スイッチを給湯接続部の上流側に設けたものが知られている（例えば、特許文献１参照）。
【０００３】
図２に示すように、給湯運転時に、給湯栓１を開くと給湯用流量センサー２が通水を検知した後、燃焼用ファン３が回転し、ガス元電磁弁４、ガス比例弁５が開き、バーナ６に着火し、給湯用熱交換器７で加熱される。
【０００４】
ここで、給湯用熱交換器７で加熱された湯は、給湯回路８の入水側に設けたバイパス制御弁９により、入水側の水と混合される。混合された湯は遠隔操作用リモコン１０で設定した給湯設定温度になるよう出湯サーミスター１１の信号によりバイパス制御弁９の開度を調整し、給湯通水スイッチ１２、給湯接続口１３を経て給湯栓１より給湯される。
【０００５】
次に追焚運転時には、循環ポンプ１４により浴槽１５の浴槽水１６は、追焚戻り通路１７を経て流水検知部１８にて循環を検知されると、燃焼用ファン３が回転し、ガス元電磁弁４、ガス比例弁５が開き、バーナ６に着火し、追焚用熱交換器１９で加熱され追焚往き通路２０から浴槽１５へ循環される。
【０００６】
次に自動お湯はり運転時には、給湯用熱交換器７で加熱された湯は、注湯電磁弁２１が開き、逆止弁２２を経て追焚戻り通路１７から浴槽１５へ供給される。
【０００７】
ここで、自動お湯はり運転時に給湯が使用されたり、或いは給湯使用中に自動お湯はり運転が作動すると、給湯栓１から出湯する量が給湯単独使用と比較すると減少して使用勝手が悪くなるため、給湯接続口１３の上流に設けられた給湯通水スイッチ１２が通水を検知し、注湯電磁弁２１を閉じる構成となっている。
【０００８】
【特許文献１】
特公平２−２５４２３４号公報（第１図）
【０００９】
【発明が解決しようとする課題】
しかしながら上記従来の給湯風呂装置では、給湯通水スイッチ部の通水抵抗が大きいため、水圧の低い場所では給湯量が減少し、使い勝手が悪くなるという課題を有していた。
【００１０】
【課題を解決するための手段】
本発明は上記課題を解決するために、給湯用熱交換器と、給湯流量を検知する給湯用流量センサーと、給湯出湯側から分岐し前記給湯用熱交換器で加熱された湯を追焚回路に供給する注湯回路に配した注湯電磁弁と、前記注湯電磁弁の下流の注湯回路に設けた逆止弁と、前記注湯電磁弁と前記逆止弁との間の注湯回路に設け、前記追焚回路に供給する流量を検知する注湯用流量センサーを備えたものである。
【００１１】
上記発明によれば、給湯用流量センサーと注湯用流量センサーの流量を比較することにより、給湯配管への通水の検知を行い、また給湯配管部の通水抵抗を小さくすることができるため、水圧の低い場所で給湯量が少なくなるという課題を改善できるものである。
【００１２】
【発明の実施の形態】
請求項１記載の発明は、給湯用熱交換器と、給湯流量を検知する給湯用流量センサーと、給湯出湯側から分岐し前記給湯用熱交換器で加熱された湯を追焚回路に供給する注湯回路に配した注湯電磁弁と、前記注湯電磁弁の下流の注湯回路に設けた逆止弁と、前記注湯電磁弁と前記逆止弁との間の注湯回路に設け、前記追焚回路に供給する流量を検知する注湯用流量センサーを備えたことを特徴としたもので、給湯用流量センサーと注湯用流量センサーの流量を比較することにより、給湯配管への通水を検知することができる。
【００１３】
請求項２記載の発明は、注湯電磁弁が開の状態のとき、給湯用流量センサーと注湯用流量センサーの流量を比較し、前記給湯用流量センサーの検知流量が前記注湯用流量センサーの検知流量より所定の値大きい場合、前記注湯電磁弁を閉じる制御を備えているため、給湯優先となり給湯栓からの出湯量の減少による使用勝手の悪化を防止することが可能となる。
【００１４】
請求項３記載の発明は、注湯電磁弁が開の状態のとき、給湯用流量センサーと注湯用流量センサーの流量を比較し、前記給湯用流量センサーの検知流量が前記注湯用流量センサーの検知流量より所定の値大きい場合、前記注湯電磁弁を閉じる制御を備えて、前記給湯用流量センサーが通水の停止を検知した場合、前記注湯電磁弁を開ける制御を備えているため、給湯使用後、すぐに自動お湯はり運転を再開することが可能となる。
【００１５】
請求項４記載の発明は、注湯電磁弁が開の状態のとき、給湯用流量センサーと注湯用流量センサーの流量を比較し、前記注湯用流量センサーの検知流量が前記給湯用流量センサーの検知流量より所定の値大きい場合、前記注湯電磁弁を閉じる制御手段を備えているため、注湯用流量センサーの故障による自動お湯はり量の変動を防止することが可能となる。
【００１６】
請求項５記載の発明は、注湯電磁弁が開の状態のとき、給湯用流量センサーと注湯用流量センサーの流量を比較し、前記注湯用流量センサーの検知流量が前記給湯用流量センサーの検知流量より所定の値大きい場合、前記注湯電磁弁を閉じ、故障表示する制御手段を備えているため、注湯用流量センサーの故障を機器の使用者に通知することが可能となる。
【００１７】
【実施例】
以下、本発明の実施例について図面を用いて説明する。なお、従来例と同一部品には同一番号を付し説明する。
【００１８】
（実施例１）
図１は本発明の実施例１における給湯風呂装置の構造図である。
【００１９】
給湯運転時には、給湯栓１を開くと給湯用流量センサー２が通水を検知した後、燃焼用ファン３が回転し、ガス元電磁弁４、ガス比例弁５が開き、バーナ６に着火し、給湯用熱交換器７で加熱される。
【００２０】
ここで、給湯用熱交換器７で加熱された湯は、給湯回路８の入水側に設けたバイパス制御弁９により、入水側の水と混合される。混合された湯は遠隔操作用リモコン１０で設定した給湯設定温度になるよう出湯サーミスター１１の信号によりバイパス制御弁９の開度を調整し、給湯接続口１３を経て給湯栓１より給湯される。
【００２１】
次に追焚運転時には、循環ポンプ１４により浴槽１５の浴槽水１６は、追焚戻り通路１７を経て流水検知部１８にて循環を検知されると、燃焼用ファン３が回転し、ガス元電磁弁４、ガス比例弁５が開き、バーナ６に着火し、追焚用熱交換器１９で加熱され追焚往き通路２０から浴槽１５へ循環される。
【００２２】
次に自動お湯はり運転時には、給湯用熱交換器７で加熱された湯は、前記給湯接続口１３の上流側より分岐し前記追焚戻り通路１７に接続した注湯回路に配した注湯電磁弁２１を開くと、逆止弁２２を経て追焚戻り通路１７から浴槽１５へ供給される。
【００２３】
ここで、お湯はりの流量は注湯電磁弁２１の下流側に設けられた注湯用流量センサー２３により検知される構成となっている。
【００２４】
以上のように構成された給湯風呂装置について、以下その動作、作用を説明する。
【００２５】
通常、自動お湯はり運転時には、お湯はりの流量は注湯電磁弁２１の下流側に設けられた注湯用流量センサー２３により検知される。ここで、給湯栓１を開くと、給湯用熱交換器７で加熱された湯は、給湯接続口１３と注湯電磁弁２１へと分岐して供給される。
【００２６】
給湯接続口１３側への流量をＱｋ、注湯電磁弁２１側への流量をＱｃとすると、給湯用流量センサー２は、給湯接続口１３と注湯電磁弁２１へ供給される総流量Ｑｔを検知することとなる（Ｑｔ＝Ｑｋ＋Ｑｃ）。従って、給湯用流量センサー２と注湯用流量センサー２３の検知する流量とを比較することにより、給湯配管への通水を検知することが可能となる。
【００２７】
（実施例２）
本発明の実施例２は、前記実施例１で、注湯電磁弁２１が開の状態のとき、給湯用流量センサー２と注湯用流量センサー２３の流量を比較し、給湯用流量センサー２の検知流量Ｑｔが注湯用流量センサー２３の検知流量Ｑｃより所定の値Ｋ１より大きくなると（Ｑｔ−Ｑｃ≧Ｋ１）、注湯電磁弁２１を閉じる制御手段２４を備えているため、給湯優先となり給湯栓からの出湯量の減少による使用勝手の悪化を防止することが可能となる。
【００２８】
（実施例３）
本発明の実施例３は、前記実施例１で、注湯電磁弁２１が開の状態のとき、給湯用流量センサー２と注湯用流量センサー２３の流量を比較し、給湯用流量センサー２の検知流量Ｑｔが注湯用流量センサー２３の検知流量Ｑｃより所定の値Ｋ１より大きくなると（Ｑｔ−Ｑｃ≧Ｋ１）、注湯電磁弁２１を閉じる制御手段２４を備えており更に、給湯用流量センサー２が通水の停止を検知した場合（Ｑｋ＝０）、注湯電磁弁２１を開ける制御手段を備えているため、給湯使用後、すぐに自動お湯はり運転を再開することが可能となる。
【００２９】
（実施例４）
本発明の実施例４は、注湯電磁弁２１が開の状態のとき、給湯用流量センサー２２と注湯用流量センサー２３の流量を比較し、注湯用流量センサー２３の検知流量Ｑｃが給湯用流量センサー２の検知流量Ｑｔより所定の値Ｋ２より大きい場合（Ｑｃ−Ｑｔ≧Ｋ２）、注湯電磁弁２１を閉じる制御手段を備えているため、注湯用流量センサー２３の故障による自動お湯はり量の変動を防止することが可能となる。
【００３０】
（実施例５）
本発明の実施例５は、注湯電磁弁２１が開の状態のとき、給湯用流量センサー２と注湯用流量センサー２３の流量を比較し、注湯用流量センサー２３の検知流量Ｑｃが給湯用流量センサー２の検知流量Ｑｔより所定の値Ｋ２より大きい場合（Ｑｃ−Ｑｔ≧Ｋ２）、注湯電磁弁２１を閉じる制御手段を備え、更に遠隔操作用リモコン１０に故障表示する制御手段を備えているため、注湯用流量センサー２３の故障による自動お湯はり量の変動を防止して、機器の使用者に異常の発生を早期に通知することが可能となる。
【００３１】
【発明の効果】
以上のように本発明によれば、注湯電磁弁と逆止弁との間に追焚回路に供給する流量を検知する注湯用流量センサーを備えているため、給湯用流量センサーと注湯用流量センサーの流量を比較することにより、給湯配管への通水の検知を行い、また給湯配管部の通水抵抗を小さくすることができるため、水圧の低い場所での給湯量の低下を防止することが可能となるという効果が得られる。
【００３２】
さらに、給湯用流量センサーの検知流量が注湯用流量センサーの検知流量より所定の値大きくなると、注湯電磁弁を閉じる制御手段を備えているため、給湯優先となり給湯栓からの出湯量の減少による使用勝手の悪化を防止し、また給湯用流量センサーが通水の停止を検知した場合には、注湯電磁弁を開ける制御手段を備えているため、給湯使用後、すぐに自動お湯はり運転を再開することが可能となる。
【００３３】
さらに、注湯用流量センサーの故障による自動お湯はり量の変動を防止して、機器の使用者に異常の発生を早期に通知することが可能となる。
【図面の簡単な説明】
【図１】本発明の実施例１の給湯風呂装置を示す構造図
【図２】従来の給湯風呂装置を示す構造図
【符号の説明】
１  給湯栓
２  給湯用流量センサー
７  給湯用熱交換器
８  給湯回路
１０  遠隔操作用リモコン
２１  注湯電磁弁
２２  逆止弁
２３  注湯用流量センサー
２４  制御手段
【図１】
2004347225.tif 000003
【図２】
2004347225.tif 000004